(57)【要約】      （修正有）【課題】楕円体の表面等の曲面に対応するでき、四隅の角部分からの剥がれを防止することができるラベルを提供する。【解決手段】表面基材１の外周形状を、内包される矩形領域１０の各辺の中央付近に対して接するなだらかな曲線とすると共に、矩形領域１０の重心Ｃを中心とした半径Ｒの仮想円に対して四隅が内接すると共に、仮想円に内接する箇所の曲率（１／ｒ）が、仮想円の半径をＲとすると、１／Ｒ以上６／Ｒ以下の値になるように構成することにより、楕円体の表面等の曲面に対応することができると共に、四隅の角部に大きなＲを付けることができる。【選択図】図２
2007316472.tif 000002
【特許請求の範囲】
【請求項１】
表面基材の裏面に粘着剤が塗布された略矩形形状のラベルであって、
前記表面基材の外周形状は、内包される仮想矩形領域の各辺の中央付近に対して接するなだらかな曲線となっていると共に、前記仮想矩形領域の重心を中心とした半径の仮想円に対して四隅が内接すると共に、前記仮想円に内接する箇所の曲率が、前記仮想円の半径をＲとすると、１／Ｒ以上６／Ｒ以下の値になるように構成されていることを特徴とするラベル。
【発明の詳細な説明】
【技術分野】
【０００１】
本発明は、曲面に巻回貼付するラベルに関し、特に楕円体の表面等の曲面に巻回貼付するラベルに関する。
【背景技術】
【０００２】
ガスボンベ等のように、曲面を有し屋外で使用される被着体にラベルを巻回貼付する場合には、自然環境における雨、風、埃等の様々なラベルの剥がれを引き起こす要因を考慮して、耐久性および耐水性を備えたいわゆる腰の強いタイプの材質が用いられ、その形状も完全な四角形ではなく、中央部がひょうたん状に凹むようにして若干切り取られている形状のものが用いられている（例えば、特許文献１参照）。
【０００３】
しかしながら、従来技術では、ガスボンベの円筒部のような曲面には対応することができるが、中央部のみが凹むように若干切り取られている形状であるため、ガスボンベの肩部分に見られるような楕円体の表面等の曲面には対応することができず、さらに、ラベル四隅の角部分の曲率が大きいため、四隅の角部分で雨、風、埃等の影響を受けやすいと共に、ラベルの伸縮の影響が大きい四隅の角部分の粘着面積を広く取ることができず、四隅の角部分からラベルが剥がれてしまう恐れがあるという問題点があった。
【０００４】
【特許文献１】特開２００１−８２６９９号公報
【発明の開示】
【発明が解決しようとする課題】
【０００５】
本発明は斯かる問題点に鑑みてなされたものであり、その目的とするところは、楕円体の表面等の曲面に対応することができ、四隅の角部分からの剥がれを防止することができるラベルを提供する点にある。
【課題を解決するための手段】
【０００６】
本発明は上記課題を解決すべく、以下に掲げる構成とした。
請求項１記載の発明の要旨は、表面基材の裏面に粘着剤が塗布された略矩形形状のラベルであって、前記表面基材の外周形状は、内包される仮想矩形領域の各辺の中央付近に対して接するなだらかな曲線となっていると共に、前記仮想矩形領域の重心を中心とした半径の仮想円に対して四隅が内接すると共に、前記仮想円に内接する箇所の曲率が、前記仮想円の半径をＲとすると、１／Ｒ以上６／Ｒ以下の値になるように構成されていることを特徴とするラベルに存する。
【発明の効果】
【０００７】
本発明のラベルは、表面基材の外周形状を、内包される仮想矩形領域の各辺の中央付近に対して接するなだらかな曲線とすると共に、仮想矩形領域の重心を中心とした半径の仮想円に対して四隅が内接すると共に、仮想円に内接する箇所の曲率が、仮想円の半径をＲとすると、１／Ｒ以上６／Ｒ以下の値になるように構成することにより、楕円体の表面等の曲面に対応することができると共に、四隅の角部に大きなＲを付けることができ、四隅の角部分での雨、風、埃等の影響を軽減させると共に、表面基材の伸縮の影響が大きい四隅の角部分の粘着面積を広く取ることで、端部の強さを略同一に保つことができるため、雨、風、埃等の影響や表面基材伸縮の影響を受けやすい四隅の角部からの剥がれを防止することができるという効果を奏する。
【発明を実施するための最良の形態】
【０００８】
以下、本発明の実施の形態を図面に基づいて詳細に説明する。
【０００９】
図１は、本発明に係るラベルの実施の形態の構成を示す図であり、（ａ）は、平面図であり、（ｂ）は、（ａ）に示すＸ−Ｘ’断面図である。図２は、本発明に係るラベルの実施の形態における外周の曲率を説明図ための説明図であり、図３は、本発明に係るラベルの実施の形態を被着体に巻回貼付した状態を示す図である。
【００１０】
本実施の形態のラベルは、図１を参照すると、表面基材１と、表面基材１の裏面に塗布された粘着剤２と、粘着剤２によって表面基材１の裏面に仮着された剥離基材３とからなる。なお、図１（ｂ）に示す断面図においては、説明のために厚み方向を拡大して記載している。
【００１１】
表面基材１には、ポリエステル樹脂、ポリエチレン樹脂、ポリプロピレン樹脂等のフィルムや、ネーマ、合成紙等の二次加工フィルム、上質紙、コート紙、厚紙、含浸紙等の紙素材のもの、あるいは金属箔等、一般にラベルとして用いられる任意基材を用いることができるが、屋外で使用する場合には、耐久性および耐水性を備えたフィルムや二次加工フィルムを用いると良い。なお、表面基材１としてフィルムや二次加工フィルムを用いる場合には、染料等の着色剤を配合して任意の色に着色しても良く、透明でも不透明でも良い。
【００１２】
表面基材１の表面は、印刷機やプリンタによる印刷（印字）又は筆記具による書き込みが行われる各種情報の表示部等として用いられる表示領域となる矩形領域１０（短辺Ｌ＊長辺Ｍ）が設定されている。表面基材１の外周形状は、図２を参照すると、矩形領域１０の重心Ｃを中心とし、重心Ｃから矩形領域１０の角部１１までの距離Ｓよりも長い半径Ｒの仮想円１２に角部１１の近傍でそれぞれ内接すると共に、矩形領域１０の各辺の中央付近で接するなだらかな曲線となっており、表面基材１に設定されている矩形領域１０の対向する短辺Ｌの中点Ａと中点Ａ’を結ぶ線分Ａ−Ａ’に対して線対称となっていると共に、対向する長辺Ｍの中点Ｂと中点Ｂ’を結ぶ線分Ｂ−Ｂ’に対して線対称となっている。
【００１３】
また、表面基材１の線分Ａ−Ａ’方向の幅は、矩形領域１０の短辺Ｌに接する中央の線分Ａ−Ａ’で最も狭く、端部に向かって漸増した後に漸減するようになっており、同様に線分Ｂ−Ｂ’方向の幅は、矩形領域１０の長辺Ｍに接する中央の線分Ｂ−Ｂ’で最も狭く、端部に向かって漸増した後に漸減するようなっている。
【００１４】
さらに、重心Ｃからの最遠点となる矩形領域１０の角部１１近傍（四隅）の曲率（１／ｒ）は、できるだけ小さくなるように構成されている。具体的には、矩形領域１０の重心Ｃを中心とする半径Ｒの仮想円１２に接する箇所の曲率（１／ｒ）がそれぞれ６／Ｒよりも小さい値になるように構成されている。すなわち、重心Ｃからの最遠点となる四隅(端部)は風雨の影響を受けやすく、外部環境の寒暖の差などによる表面基材１の伸縮の影響を最も受けやすいので、端部の浮きや剥がれを防止するためには、角部１１近傍の曲率（６／ｒ）の値は小さい方が好ましく、より好ましくは下限値である仮想円１２の曲率（１／Ｒ）になるように構成されていることである。
【００１５】
粘着剤２としては、例えばエマルジョン系、ソルベント系、ホットメルト系のように任意の粘着剤が使用可能であると共に、素材も、アクリル系、ゴム系など任意であり、また、粘着剤の強さも強粘タイプや弱粘タイプなど任意であるが、屋外で使用する場合には、耐久性および耐水性を備えた、ソルベント系でアクリル系素材の強粘タイプのものを用いると良い。
【００１６】
剥離基材３の少なくとも一方面には、シリコーン加工等の剥離加工が施されており、剥離加工が施された面が、表面基材１の裏面に塗布された粘着剤２に仮着されている。なお、剥離基材３には、紙基材やフィルム基材等の任意基材を用いることができる。
【００１７】
本実施の形態のラベルは、対向する辺が内側と外側とが凹んだＭ字状のなだらかな曲線となっているため、図３に示す円筒の曲面に巻回貼付する場合には、図３（ａ）に示すように、長手方向を曲面に沿って巻回貼付しても、図３（ｂ）に示すように、短手方向を曲面に沿って巻回貼付しても、角部付近から剥がれることを防止することができる。また、ガスボンベの肩部やラグビーボール等の楕円体のような曲面に巻回貼付する場合にも、外周の各辺が内側と外側とが凹んだＭ字状のなだらかな曲線となっているため、角部付近から剥がれることを防止することができる。
【００１８】
なお、本実施の形態では、表面基材１の表面に表示領域となる矩形領域１０が設定されている例について説明したが、表面基材１を透過性のある材質で構成し、他のラベルの上に張るラミネート等にも応用できる。
【００１９】
以上説明したように、本実施の形態によれば、表面基材１の外周形状を、内包される矩形領域１０の各辺の中央付近に対して接するなだらかな曲線とすると共に、矩形領域１０の重心Ｃを中心とした半径Ｒの仮想円に対して四隅が内接すると共に、仮想円に内接する箇所の曲率（１／ｒ）が、仮想円の半径をＲとすると、１／Ｒ以上６／Ｒ以下の値になるように構成することにより、楕円体の表面等の曲面に対応することができると共に、四隅の角部に大きなＲを付けることができ、四隅の角部分での雨、風、埃等の影響を軽減させると共に、表面基材１の伸縮の影響が大きい四隅の角部分の粘着面積を広く取ることで、端部の強さを略同一に保つことができるため、雨、風、埃等の影響や表面基材１の伸縮の影響を受けやすい四隅の角部からの剥がれを防止することができるという効果を奏する。
【００２０】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【図面の簡単な説明】
【００２１】
【図１】本発明に係るラベルの実施の形態の構成を示す図であり、（ａ）は、平面図であり、（ｂ）は、（ａ）に示すＸ−Ｘ’断面図である。
【図２】本発明に係るラベルの実施の形態における外周の曲率を説明図ための説明図である。
【図３】本発明に係るラベルの実施の形態を被着体に巻回貼付した状態を示す図である。
【符号の説明】
【００２２】
１  表面基材
２  粘着剤
３  剥離基材
１０  矩形領域
１１  角部
１２  仮想円
２０  被着体
【図１】
2007316472.tif 000003
【図２】
2007316472.tif 000004
【図３】
2007316472.tif 000005